(57)【要約】  【目的】  キャップを外した状態でも、ペン先のインキ吐出部が乾燥し難く、インキの吐出不良となり難い油性インキ組成物を得ることを目的とする。  【構成】  ２〜６０重量％のベンジルアルコールと、０．０５〜５．０重量％のジャスモン酸メチルまたはジヒドロジャスモン酸メチルと、２．０〜３０重量％の着色剤を少なくとも含むことを特徴とする油性インキ組成物。【選択図】  なし【特許請求の範囲】
【請求項１】
着色剤と、ベンジルアルコールと、ジャスモン酸メチルまたはジヒドロジャスモン酸メチルとを少なくとも含有する油性インキ組成物。
【発明の詳細な説明】
【技術分野】
【０００１】
本発明は筆記具に用いるインキ組成物に関し、更に詳しくは、キャップを外した状態でも、ペン先のインキ吐出部が乾燥し難く、インキの吐出不良となり難い油性インキ組成物に関するものである。
【背景技術】
【０００２】
従来、インキ組成物においてキャップを外して放置したときのペン先のドライアップ防止としては、高沸点有機溶剤の添加（特許文献１）、溶剤の揮発に伴ってペン先表面で析出して膜を形成する物質として炭素数４〜２２のアルキルアミド（特許文献２）、ペン先表面で析出して薄いフィルムを形成する物質として常温で固体のパラフィンワックス（特許文献３）、ペン先における固形分を析出させない為に有機溶剤に可溶かつ水に不溶な樹脂（特許文献４）、ペン先で析出して溶剤を透過させない脆い薄膜を形成するポリグリセリンの部分高級脂肪酸エステル（特許文献５）を添加してペン先の乾燥を防止する工夫がされている。
【特許文献１】特公昭５７−０３８６２９号公報
【特許文献２】特公昭５７−００５２７４号公報
【特許文献３】特公平０１−０３５０２８号公報
【特許文献４】特開昭５８−０６３７６４号公報
【特許文献５】特公平０１−０５３７０７号公報
【発明の開示】
【発明が解決しようとする課題】
【０００３】
しかしながら、高沸点有機溶剤を添加した場合は筆跡の乾燥が遅くなり筆記面を汚すこととなり、炭素数４〜２２のアルキルアミドや常温で固体のパラフィンワックスなどのように、溶剤の揮発に伴ってペン先表面で析出して膜を形成する物質を添加した場合は、結晶として粒子状に析出するために不連続な皮膜となり、析出した結晶の間隙から有機溶剤の揮発が進み、ペン先の乾燥を防止することが不十分であり、また、その物質の溶剤に対する親和性が低いため低温下ではペン先に至る前のインキでもペン先乾燥防止剤析出してインキ流通路を塞いでインキの吐出を低下させ、筆記カスレとなったり、経時後ではペン先の内部においてペン先乾燥防止剤とともに染料が析出して目詰まりが生じたり、ペン先が上向きの場合には析出した染料がペン先からペン本体内部に沈降して筆跡が薄くなる不具合も見られた。
【課題を解決するための手段】
【０００４】
本発明は、着色剤と、ベンジルアルコールと、ジャスモン酸メチルまたはジヒドロジャスモン酸メチルとを少なくとも含有するインキ組成物を要旨とするものである。
【発明の効果】
【０００５】
本発明におけるジャスモン酸メチルまたはジヒドロジャスモン酸メチルは、ケトン基とエステル基の親水性の官能基と、炭素数が５である直鎖アルキル基を有するためにベンジルアルコールとは相溶性が良く、ベンジルアルコールよりも染料やその他成分を溶解させやすいことから、ペン先の大気と接触して揮発していく場面では、溶解していた固形分が析出しやすく薄膜となるので、それ以上の乾燥を防止するものと考えられる。
【発明を実施するための最良の形態】
【０００６】
本発明のインキ組成物に用いるベンジルアルコールは、ジャスモン酸メチルやジヒドロジャスモン酸メチルを揮発しにくく、乾燥防止のための薄膜形成をする役割を果たし、その使用量はインキ組成物中で２〜６０重量％程度が好ましい。ただし、ジャスモン酸メチルやジヒドロジャスモン酸メチルの使用量の３倍以上添加することがさらには好ましいものである。また、ベンジルアルコール以外の有機溶剤を併用することは、使用する染料の種類や、ペン先の形態により適宜必要となる。
アクリル繊維収束体や合成樹脂成形品などからなるペン先を有し、軸体に直接インキを内蔵したり、軸体内部にポリエステル繊維やフェルトなどからなるインキ吸蔵体を有する油性マーキングペン用インキ組成物の溶剤としては、エチルアルコール、ノルマルプロピルアルコール、イソプロピルアルコール、ノルマルブチルアルコール、イソブチルアルコール、ターシャリーブチルアルコールなどのアルコールや、プロピレングリコールモノメチルエーテル、プロピレングリコールモノエチルエーテル、プロピレングリコールモノブチルエーテルなどのプロピレングリコールのモノアルキルエーテル、ジプロピレングリコールモノメチルエーテル、ジプロピレングリコールモノエチルエーテルなどのジプロピレングリコールのモノアルキルエーテルが好ましく、単独あるいは複数種混合して使用することができる。
超鋼製やタングステンカーバイト製などのボールと、ステンレス製や洋白製などのチップからなるボールペンチップを取り付けた、ＰＰ製の軸体やリフィルパイプなどを有する油性ボールペン用インキ組成物の溶剤としては、エチレングリコールモノフェニルエーテル、プロピレングリコールモノフェニルエーテル、ジプロピレングリコールモノフェニルエーテル、ジエチレングリコールモノベンジルエーテルなどのグリコールモノアロマティックエーテルや、β−フェネチルアルコールなどの芳香族アルコールが好ましく、単独あるいは複数種混合して使用することができる。
これらの溶剤は、インキ組成物全量に対し５０〜９５重量％が好ましい。
【０００７】
ジャスモン酸メチルやジヒドロジャスモン酸メチルは、キャップを外したままで放置した時に短時間でペン先が乾燥して筆記できなくなる事を防止する為に用いるものである。
なお、いづれもジャスミン様の配合香料の原料として用いられるものであるが、他の成分では同様の効果を有さず、本発明の成分特有の効果であると考えられる。なお。ジャスモン酸メチルは非常に高価であるため、利用の際にはジヒドロジャスモン酸メチルを用いる事が好ましい。
【０００８】
ジャスモン酸メチルやジヒドロジャスモン酸メチルの添加量はインキ全量に対して０．０５重量％以上２重量％以下が好ましい。０．０５重量％より少ないとペン先の乾燥を抑制する効果が小さく、５重量％より多くても、ペン先における固形分の可溶化効果が大きく働きすぎ、乾燥薄膜を形成せずに効果が発言しなくなってしまう。
【０００９】
本発明の油性インキ組成物は、香りの調整の為に他の香料成分を併用、混合することも可能である。具体的には、ジャスミン油、バラ油、ネロリ油、ラベンダー油、イランイラン油、チュベローズ油、クラリセーズ油、クローブ油、ペパーミント油、ゼラニウム油、パッチェリー油、サンダルウッド油、シンナモン油、コリアンダー油、ナツメグ油、ペパー油、レモン油、オレンジ油、ベルガモット油、オポポナックス油、ベチバー油、オリス油、オークモス油等の植物性香料や、ムスク油、シベット油、カストリウム油、アンバーグリス油等の動物性香料等が挙げられる。合成香料は、天然香料からその含有成分を抽出、精留、晶析や簡単な化学処理よってえる単離香料と、有機合成反応により製造する純合成香料とがある。具体的には、ジャスミン系香料としては、ジヒドロジャスモン、ヒドロシンナムアルデヒド、ジャスミンアルデヒド、ジャスミンラクトン、ｃｉｓ−ジャスモン、ｔｒａｎｓ−ジャスモンなどが挙げられ、その他香料として、リモネン、β−カリオレフィン等の炭化水素類香料、シス−３−ヘキサノール、リナロール、ファルネソール、β−フェニルエチルアルコール、ゲラニオール、シトロネロール、タービネオール、メントール、サンタロール、バクダノール、ブラマノール等のアルコール類香料、２，６−ノナジエール、シトラール、α−ヘキシルシンナミックアルデヒド、リラール、リリアール等のアルデヒド類香料、β−イオノン、ｌ−カルボン、シクロペンタデカノン、ダマスコン、メチルイオノン、イロン、イソイースーパー、アセチルセドレン、ムスコン等のケトン類香料、リナニルアセテート、ベンジルベンゾエート、ベンジルアセテート、プロピオン酸ベンジル、ギ酸ベンジル、酪酸ベンジル、アントラニル酸メチル等のエステル類香料、γ−ウンデカラクトン、シクロペンタデカノリッド、エチレンブラシレート等のラクトン類香料、オイゲノール等のフェノール類香料、ローズオキサイド、ガラクソリッド、アンプロキサン等のオキサイド類香料、インドール等の含窒素化合物類香料、フェニルアセトアルデヒドジメチルアセタール等のアセタール類香料、オーランチオール等のシッフ塩基類香料等が挙げられる。またこれらの天然香料や合成香料はそのまま単独で使用することは少なく、多くの場合、これらの素材を目的に応じて組み合わせ調合された調合香料の形で用いられることもある。具体的には、ローズ、ジャスミン、ミューゲ、リラ、カーネーション、チュベローズ、ヒアシンス、オレンジフラワー、ネロリ、バシオレット、ヘリオトロープ、ガーデニア、ハニーサックル、ジョンキル、ナルシス、フリージア、イランイラン、ジンチョウゲ等の花の香りのフローラル類香料、ベチバー系、サンダルウッド系、パッチェリー系、セダーウッド系、パイン系等の木の香りのウッディ類香料、Ｃｏｔｙ社の香水Ｃｈｙｐｒｅが原型となっているシプレー類香料、ベルガモット、レモン、オレンジ、ライム、グレープフルーツ、マッダリン等の柑橘系の香りのシトラス類香料、葉や、きゅうり、トマト、ピーマンなどに感じられる青くさい香りのグリーン類香料、Ｆｏｕｇｅｒｅ  Ｒｏｙａｌｅの香水名の原型であるフゼア類香料、東洋からヨーロッパに輸入された香料の特徴から名づけられたオリエンタル類香料、ピーチ、ストロベリー、アップル、バナナ、メロン、パイナップル、ラズベリー等のフルーツの香りのフルーティ類香料、グローブ、シンナモン、タイム、ペパー、カルダモン、ナツメッグ等のスパイスの香りのスパイシー類香料、脂肪族アルデハイドに属する炭素数７から１２までのもつアルデハイド類香料、ムスク、シベッド、カストリウム、アンバーグリス等の動物の臭いのアニマル類香料等が挙げられる。これらの香料は香りをつけられるものならば特に限定されず、単独もしくは複数混合して使用可能であり、これらの使用量はインキ組成物全量に対して０．０１重量％以上至る１０重量％以下であり、好ましくは０．０５重量％以上至る８重量％以下である。
【００１０】
着色剤は、従来公知の染料や顔料が単独若しくは混合して使用できる。
染料としては、ニグロシンベ−スＥＥ、同ＥＥＬ、同ＥＸ、同ＥＸＢＰ、同ＥＢ、オイルイエロー１０１、同１０７、オイルピンク３１２、オイルブラウンＢＢ、同ＧＲ、オイルグリーンＢＧ、オイルブルー６１３、同ＢＯＳ  オイルブラックＨＢＢ、同８６０、同ＢＳ、バリファストイエロー１１０１、同１１０５、同３１０８、同４１２０、バリファストオレンジ２２１０、同３２０９、同３２１０、バリファストレッド１３０６、同１３０８、同１３５５、同１３６０、同２３０３、同２３２０、同３３０４、同３３０６、同３３２０、バリファストピンク２３１０Ｎ、バリファストブラウン２４０２、同３４０５、バリファストグリーン１５０１、バリファストブルー１６０３、同１６０５、同１６０７、同１６３１、同２６０６、同２６１０、同２６２０、バリファストバイオレット１７０１、同１７０２、バリファストブラック１８０２、同１８０７、同３８０４、同３８０６，同３８０８、同３８１０、同３８２０、同３８３０、スピリットレッド１０２、オスピーイエローＲＹ、ＲＯＢ−Ｂ、ＭＶＢ３、ＳＰブルー１０５（以上、オリエント化学工業（株）製）、アイゼンスピロンイエロー３ＲＨ、同ＧＲＬＨスペシャル、同Ｃ−２ＧＨ、同Ｃ−ＧＮＨ、アイゼンスピロンオレンジ２ＲＨ、同ＧＲＨコンクスペシャル、アイゼンスピロンレッドＧＥＨ、同ＢＥＨ、同ＧＲＬＨスペシャル、同Ｃ−ＧＨ、同Ｃ−ＢＨ、アイゼンスピロンバイオレットＲＨ、同Ｃ−ＲＨ、アイゼンスピロンブラウンＢＨコンク、同ＲＨ、アイゼンスピロンマホガニーＲＨ、アイゼンスピロンブルーＧＮＨ、同２ＢＮＨ、同Ｃ−ＲＨ、同ＢＰＮＨ、アイゼンスピロングリーンＣ−ＧＨ、同３ＧＮＨスペシャル、アイゼンスピロンブラックＢＮＨ、同ＭＨ、同ＲＬＨ、同ＧＭＨスペシャル、同ＢＨスペシャル、Ｓ．Ｂ．Ｎ．オレンジ７０３、Ｓ．Ｂ．Ｎ．バイオレット５１０、同５２１、Ｓ．Ｐ．Ｔ．オレンジ６、Ｓ．Ｐ．Ｔ．ブルー１１１、ＳＯＴピンク１、ＳＯＴブルー４、ＳＯＴブラック１、同６、同１０、同１２、１３リキッド、アイゼンローダミンＢベース、アイゼンメチルバイオレットベース、アイゼンビクトリアブルーＢベース（以上、保土谷化学工業（株）製）、オイルイエローＣＨ、オイルピンク３３０、オイルブルー８Ｂ、オイルブラックＳ、同ＦＳスペシャルＡ、同２０２０、同１０９、同２１５、ＡＬイエロー１１０６Ｄ、同３１０１、ＡＬレッド２３０８、ネオスーパーイエローＣ−１３１、同Ｃ−１３２、同Ｃ−１３４、ネオスーパーオレンジＣ−２３３、ネオスーパーレッドＣ−４３１、ネオスーパーブルーＣ−５５５、ネオスーパーブラウンＣ−７３２、同Ｃ−７３３（以上、中央合成化学（株）製）、オレオゾールファストイエロー２Ｇ、同ＧＣＮ、オレオゾールファストオレンジＧＬ、オレオゾールファストレッドＢＬ、同ＲＬ（以上、田岡化学工業（株）製）、サビニールイエロー２ＧＬＳ、同ＲＬＳ、同２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、同ＧＬＳ、サビニールグリーン２ＧＬＳ、サビニールブラウンＧＬＳ（以上、サンド社製、スイス国）、マゼンタＳＰ２４７％、クリスタ���バイオレット１０Ｂ２５０％、マラカイトグリーンクリスタルコンク、ブリリアントグリーンクリスタルＨ９０％、スピリットソルブルレッド６４８４３（以上、ホリディ社製、英国）、ネプチューンレッドベース５４３、ネプチューンブルーベース６３４、ネプチューンバイオレットベース６０４、バソニールレッド５４０、バソニールバイオレット６００（以上、ＢＡＳＦ社製、独国）などの油溶性染料が挙げられる。
【００１１】
顔料としては、ＳｐｅｃｉａｌＢｌａｃｋ６、同Ｓ１７０、同Ｓ６１０、同５、同４、同４Ａ、同５５０、同３５、同２５０、同１００、Ｐｒｉｎｔｅｘ１５０Ｔ、同Ｕ、同Ｖ、同１４０Ｕ、同１４０Ｖ、同９５、同９０、同８５、同８０、同７５、同５５、同４５、同Ｐ、同ＸＥ２、同Ｌ６、同Ｌ、同３００、同３０、同３、同３５、同２５、同２００、同Ａ、同Ｇ（以上、デグサ・ジャパン（株）製）、＃２４００Ｂ、＃２３５０、＃２３００、＃２２００Ｂ、＃１０００、＃９５０、＃９００、＃８５０、＃ＭＣＦ８８、ＭＡ６００、ＭＡ１００、ＭＡ７、ＭＡ１１、＃５０、＃５２、＃４５、＃４４、＃４０、＃３３、＃３２、＃３０、ＣＦ９、＃２０Ｂ、＃４０００Ｂ、（以上、三菱化成工業（株）製）、ＭＯＮＡＲＣＨ１３００、同１００、同１０００、同９００、同８８０、同８００、同７００、ＭＯＧＵＬ  Ｌ、ＲＥＧＡＬ４００Ｒ、同６６０Ｒ、同５００Ｒ、同３３０Ｒ、同３００Ｒ、同９９Ｒ、ＥＬＦＴＥＸ８、同１２、ＢＬＡＣＫ  ＰＥＡＲＬＳ２０００（以上、米国、キャボットＣｏｒｐ．製）、Ｒａｖｅｎ７０００、同５７５０、同５２５０、同５０００、同３５００、同２０００、同１５００、同１２５５、同１２５０、同１２００、同１１７０、同１０６０、同１０４０、同１０３５、同１０２０、同１０００、同８９０Ｈ、同８９０、同８５０、同７９０、同７８０、同７６０、同５００、同４５０、同４３０、同４２０、同４１０、同２２、同１６、同１４、同Ｈ２０、同Ｃ、Ｃｏｎｄｕｃｔｅｘ９７５、同９００、同ＳＣ（以上、コロンビヤン・カーボン日本（株）製）などのカーボンブラック、ＫＡ−１０、同１０Ｐ、同１５、同２０、同３０、同３５、同６０、同８０、同９０、ＫＲ−３１０、同３８０、同４６０、同４８０（以上、チタン工業（株）製）、タイピュアＲ−９００、同９０２、同９６０（以上、デュポン（株）製）、タイペークＣＲ−５０、同５８、同６０、同６７、同８０、同９０、Ｒ−５８０、同６７０、同６８０、同７８０、同８２０、同９３０（以上、石原産業（株）製）、ＪＲ−３００、同４０３、同６００Ａ、同８００、同８０５（以上、テイカ（株）製）、Ｐ２５（日本アエロジル（株）製）などの酸化チタン、ＢＳ−６０５、同６０７（以上、東洋アルミ（株）製）、ブロンズパウダーＰ−５５５、同Ｐ−７７７（以上、中島金属箔工業（株）製）、ブロンズパウダー３Ｌ５、同３Ｌ７（以上、福田金属箔工業（株）製）などの金属粉顔料、また、黒色酸化鉄、黄色酸化鉄、赤色酸化鉄、群青、紺青、コバルトブルー、クロムグリーン、酸化クロムなどの無機顔料、ハンザエロー−１０Ｇ、同５Ｇ、同３Ｇ、同４、同ＧＲ、同Ａ、ベンジジンエロー、パーマネントエローＮＣＧ、タートラジンレーキ、キノリンエロー、スダーン１、パーマネントオレンジ、インダスレンブリリアントオレンジＧＮ、パーマネントブラウンＦＧ、パラブラウン、パーマネントレッド４Ｒ、ファイヤーレッド、ブリリアントカーミンＢＳ、ピラゾロンレッド、レーキレッドＣ、キナクリドンレッド、ブリリアントカーミン６Ｂ、ボルドー５Ｂ、チオインジゴレッド、ファストバイオレットＢ、ジオキサジンバイオレット、アルカリブルーレーキ、フタロシアニンブルー、イン��ゴ、アシッドグリーンレーキ、フタロシアニングリーンなどの有機顔料などが挙げられる。また、この他に硫化亜鉛、珪酸亜鉛、硫酸亜鉛カドミウム、硫化カルシウム、硫化ストロンチウム、タングステン酸カルシウムなどの無機蛍光顔料が挙げられる。
【００１２】
また、顔料を可塑剤と共に溶剤に可溶な樹脂中に練合分散させた加工顔料や、表面を樹脂コーティングした加工顔料は分散性、経時安定性、作業性の面からも好ましく用いられる。その具体例として、フジＡＳブラック、同ＡＳレッド５７５、同ＡＳブルー６５０、同ＡＳグリーン７３７、同ＡＳオレンジ２００、同ＡＳイエロー４５８、同ＡＳバイオレット（以上、冨士色素（株）製）、ラベスター、ダイラックＴＮ（以上大日本インキ化学工業（株）製）、ポリブライドＮ（日本油脂（株）製）ハイコープ（特殊色料工業（株）製）などが挙げられる。
上記した着色剤は単独或いは複数混合して使用することが出来、使用量はインキ組成物全量に対して２．０重量％以上３０．０重量％以下が好ましい。２．０重量％未満では濃度が低すぎて筆跡が確認し難いこともあり、３０．０重量％を超えるとインキ組成物粘度が高くなり筆記具ペン先からのインキ吐出が不十分になることがある。
【００１３】
筆跡の筆記面への定着性を付与するために樹脂を添加することもできる。樹脂の具体例としては、例えば、フェノール樹脂、ケトン樹脂、ロジン樹脂、ブチラール樹脂などの油性系インキ組成物用樹脂が挙げられる。
油性系インキ組成物用樹脂の具体例としては、フェノール樹脂として、タマノル１００Ｓ、同５１０（以上、荒川化学工業（株）製）、ヒタノール１５０１、同２５０１（以上、日立化成工業（株）製）、ＹＰ−９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同１５０（以上、ヤスハラケミカル（株）製）などが、ケトン樹脂として、ケトンレジンＫ−９０（荒川化学工業（株）製）、ハロン８０、同１１０Ｈ（以上、本州化学（株）製）、シンセティックレジンＡＰ、同ＳＫ、同１２０１（以上、ヒュルス社製、独国）などが、ロジン樹脂として、ハーコリンＤ、ペンタリン２５５、同２６１（以上、理化ハーキュレス（株）製）、ハリエスターＮＬ、ネオトールＣ、ガムロジンＸ（以上、ハリマ化成（株）製）、ガムロジンＷＷ（中国産）、エステルガムＨ（荒川化学工業（株）製）などが、ブチラール樹脂として、デンカブチラール＃２０００−Ｌ、同＃３０００−１、同＃３０００−２、同＃３０００−４、同＃３０００−Ｋ（以上、電気化学工業（株）製）、エスレックＢＬ−１、同４ＢＬ−３、同ＢＬ−Ｓ、同ＢＸ−１０（以上、積水化学工業（株）製）などが挙げられる。
これらの樹脂は、単独あるいは複数混合して使用でき、筆記面への定着性を付与するために添加する場合、その使用量はインキ組成物全量に対し０．５〜１５．０重量％以下が好ましい。０．５重量％未満では筆記面に対する筆跡の定着性が不十分となる場合があり、１５．０重量％を超えるとインキの粘度が高くなりペン先からのインキ吐出が悪くなる不具合が発生する可能性がある。
【００１４】
ペン先としてボールペンチップを備えたボールペン用のインキ組成物としては、インキ組成物の粘度を高い状態としてペン先部からのインキ漏れを防止するための増粘剤や、ボールペンを使用しない時はインキ組成物の粘度を高くしてペン先部からのインク漏れを防止し、使用時にはボールの回転によりインキ組成物にせん断力を与えて粘度を低くしてインキ組成物をボールペンチップから流出させるためのせん断減粘性付与剤を用いることが出来る。
具体例として、脂肪酸アマイド、エチルセルロース、ヒドロキシプロピルセルロースなどが挙げられる。
【００１５】
以上の成分の他に更に必要に応じて、従来インキ組成物に使用されている界面活性剤、防錆剤などの各種添加剤を適宜使用できる。界面活性剤の一例を挙げると、ポリオキシエチレンアルキルエーテル、グリセリン脂肪酸エステル、ポリグリセリン脂肪酸エステル、ソルビタン脂肪酸エステル、ポリオキシエチレンソルビット脂肪酸エステル、ポリオキシエチレンひまし油、ポリオキシエチレン硬化ひまし油、ポリオキシエチレン脂肪酸エステル、ポリオキシエチレンポリオキシプロピレンアルキルエーテル、ポリオキシエチレンアルキルアミン、ポリオキシエチレンアルキルエーテルリン酸などが挙げられる。防錆剤の一例を挙げると、ベンゾトリアゾール、シクロヘキシルアンモニウムクロライド、２−メルカプトベンゾトリアゾール、ベンゾイルアミノカプロン酸、硝酸カルシウムなどが挙げられる。
【００１６】
本願発明のインキ組成物は、上記成分を従来知られている方法により得られる。染料を着色剤に使用する場合は、撹拌機を用いて撹拌混合して均一に溶解することによって得られる。顔料を着色剤として使用する場合は、分散剤などを用いて従来公知の分散機で分散させたものを使用するか、予め分散された市販の加工顔料を用いれば良い。この時、濾過や遠心処理でインキ組成物中の粗大顔料を取り除いても良い。
【実施例】
【００１７】
以下、実施例により更に詳細に説明する。
（実施例１）油性マーキングペン用インキ組成物
ニグロシンベースＥＸ（Ｃ．Ｉ．ソルベントブラック７、オリエント化学工業（株）製）
１０．０重量部
サルコシネートＯＨ（染料可溶化剤、オレオイルザルコシン、日本油脂（株）製）
３．０重量部
エチルアルコール                                            ６０．０重量部
ノルマルプロピルアルコール                                  １５．０重量部
ベンジルアルコール                                          １０．０重量部
ハリマックＴ−８０（ロジン変性マレイン酸樹脂、ハリマ化成（株）製）
８．０重量部
ジヒドロジャスモン酸メチル（東京化成工業（株）製）            １．０重量部
上記配合にて室温で２時間攪拌して黒色のインキ組成物を得た。
【００１８】
（実施例２）油性マーキングペン用インキ組成物
ニグロシンベ−スＥＸ（Ｃ．Ｉ．ソルベントブラック７、オリエント化学工業（株）製）
１０．０重量部
オレイン酸（染料可溶化剤）                                    ６．０重量部
エチルアルコ−ル                                            ５９．９重量部
ノルマルプロピルアルコ−ル                                  １０．０重量部
ベンジルアルコール                                            ６．０重量部
マイティエースＫ１２５（テルペンフェノール共重合樹脂、ヤスハラケミカル（株）製）
８．０重量部
ジヒドロジャスモン酸メチル                                    ０．１重量部
上記成分を撹拌機にて４時間撹拌して黒色のインキ組成物を得た。
【００１９】
（実施例３）：油性ボールペン用インキ組成物
バリファーストバイオレット＃１７０４（油溶性紫色染料、オリエント化学工業（株）製）
１８．０重量部
スピロンイエローＣ−ＧＮＨ（油溶性黄色染料、保土ヶ谷化学工業（株）製）
３．０重量部
エチレングリコールモノフェニルエーテル                      ５１．５重量部
ベンジルアルコール                                          １５．０重量部
レジンＳＫ（ケトン樹脂、Ｈｕｌｓ社製（独国））              １０．０重量部
ジヒドロジャスモン酸メチル                                    ０．５重量部
ナイミーンＬ−２０１（オキシエチレンアルキルアミン、日本油脂（株）製）
１．０重量部
プライサーフＡ２０８Ｂ（ポリオキシエチレンアルキルエーテルリン酸エステル、第一工業製薬（株）製）                                              １．０重量部
上記成分を攪拌機にて４時間撹拌して黒色のインキ組成物を得た。
【００２０】
（実施例４）：油性ボールペン用インキ組成物
エチレングリコールモノフェニルエーテル                      ３７．０重量部
ベンジルアルコール                                          １５．０重量部
ハロン１１０（ケトン樹脂、本州化学（株）製）                １２．０重量部
ＭＰ−１０００（曵糸性付与剤、ポリメチルメタクリレート、綜研化学（株）製）
１．０重量部
ＤＧＭＯ−９０（ジグリセリンモノオレエート、日光ケミカルズ（株）製）
２．０重量部
カーボンブラック＃７５０（顔料、三菱化学（株）製）          ２２．０重量部
ソルスパース＃１２０００（顔料誘導体、アビシア（株）製）      ２．５重量部
ソルスパース＃２００００（高分子顔料分散体、アビシア（株）製）８．０重量部
ジャスモン酸メチル                                            ０．５重量部
上記各成分中カーボンブラック＃７５０とソルスパース１２０００、ＭＰ−１０００を除いた成分を加熱撹拌し、ソルスパース１２０００を添加して１時間撹拌後カーボンブラックを添加し、ビーズミルで１時間分散した後、ＭＰ−１０００を添加し８０℃で１時間撹拌し黒色インキを得た。
【００２１】
（実施例５）：油性ボールペン用インキ組成物
エチレングリコールモノフェニルエーテル                      ４４．０重量部
ベンジルアルコール                                          ２０．０重量部
レジンＳＫ（ケトン樹脂、Ｈｕｌｓ社製（独国））              １８．０重量部
ＭＰ−１０００                                                １．０重量部
オイルブルー＃６１３（染料、オリエント化学工業（株）製）    １２．０重量部
ネオスーパーブルーＣ−５５５（染料、中央合成化学（株）製）    ２．０重量部
ジヒドロジャスモン酸メチル                                    ３．０重量部
上記配合にて８０℃に加熱しながら７時間攪拌後、濾過して黒色のインキ組成物を得た。
【００２２】
（比較例１）：油性マーキングペン用インキ組成物
実施例１において、ジヒドロジャスモン酸メチルに代えて、同量のエタノールを添加した以外は、実施例１と同様になして黒色のインキ組成物を得た。
【００２３】
（比較例２）油性マーキングペン用インキ組成物
実施例２において、ジヒドロジャスモン酸メチルを同量のｃｉｓ−ジャスモン（ジャスモン酸メチルの分子構造のうちエステル部分である酢酸メチルの官能基がメチル基に置き換わった物質）に代えた以外は、実施例２と同様になして黒色のインキ組成物を得た。
【００２４】
（比較例３）：油性ボールペン用インキ組成物
実施例４において、ジャスモン酸メチルに代えて、同量のジャスミンアルデヒド（α−アミルシンナムアルデヒド）を添加した以外は、実施例４と同様になして黒色のインキ組成物を得た。
【００２５】
（比較例４）：油性ボールペン用インキ組成物
実施例５において、ジヒドロジャスモン酸メチルに代えて、同量のギ酸ベンジルを添加した以外は、実施例５と同様になして青色のインキ組成物を得た。
【００２６】
上記、実施例１〜２、比較例１〜２で得た油性マーキングペン用インキ組成物を、アクリル繊維収束体からなるペン先を有し、軸体内部にポリエステル繊維からなるインキ吸蔵体を有する油性マーキングペンであるぺんてる（株）製Ｙｅｓぺんてるペン（製品符号ＥＮＮ５０）に５．０ｇ充填して試験用筆記具を得た。
【００２７】
上記、実施例３〜５、比較例３〜４で得た油性ボールペン用インキ組成物を、先端にボールペンチップを取り付けた油性ボールペンであるぺんてる（株）製．ｅボール（製品符号ＢＫ１２７）のインキ組成物用リフィルパイプに０．３ｇ充填し、遠心機を用いてインキ中の気泡を除き試験用筆記具を得た。
【００２８】
ペン先乾燥性試験
実施例、及び比較例の製品形態毎に以下の条件で試験を行った。
【００２９】
ペン先乾燥性試験：油性マーキングペン用インキ組成物
実施例１〜２、比較例１〜２のインキ組成物にて作製した試験用筆記具のキャップを被嵌していない開放状態で、横向きに室温２５℃、湿度７０％の部屋に２４時間放置した後、荷重９８１ｍＮ、筆記角度７０度、筆記速度１０ｃｍ／秒の条件にて、試験用筆記具を自転させながら螺旋式筆記試験機を用いて、筆記試験を実施した。
【００３０】
ペン先乾燥性試験：油性ボールペン用インキ組成物
実施例３〜５、比較例３、４のインキ組成物にて作製した試験用筆記具のペン先を露出させた開放状態で、横向きに室温２５℃、湿度７０％の部屋に２４時間放置した後、荷重１４７２ｍＮ、筆記角度７０度、筆記速度７ｃｍ／秒の条件にて、試験用筆記具を自転させながら螺旋式筆記試験機を用いて、筆記試験を実施した。
【００３１】
ペン先乾燥性試験の評価方法
カスレのない正常な筆記線が得られるまでの筆記距離を求める。
数値が小さい方が早く正常に筆記できたことを示す。
【００３２】
筆跡乾燥性試験
実施例、及び比較例の製品形態毎に以下の条件で試験を行った。
【００３３】
筆跡乾燥性試験：油性マーキングペン用インキ組成物
実施例１〜２、比較例１〜２のインキ組成物にて作製した試験用筆記具を用いてＰＰフィルムに手書き筆記を行い、筆跡の上に５００ｇの荷重をかけた上質紙を重ね、荷重をかけた上質紙にインキ組成物の転写が発生しなくなるまでの時間を測定した。
【００３４】
筆跡乾燥性試験：油性ボールペン用インキ組成物  
実施例３〜５、比較例３〜４のインキ組成物にて作製した試験用筆記具を用いて上質紙に定規を用いて直線を筆記し、筆記５秒後、１０秒後、１５秒後というように、５秒毎に筆記線を横断するように消しゴムで擦り、筆記線が流れなくなるまでの時間を測定し、筆跡乾燥時間とした。
【００３５】
【表１】
2010018656.tif 000002